(57)【要約】【課題】骨組みに組み込む及び／又は骨組みの金属構造に溶接することにより永久的に建造物の構造に固定される複数の管状支持部材を含み、管状部材の開口部の一方に外部からアクセスすることができる建設現場で使用される安全装置を提供する。【解決手段】建造物の構造に永久的に固定される支持部材（１，１ａ）と、支持部材（１，１ａ）のいずれかに取り付けるための固定装置（４）と安全装置又は荷重支持装置を取り付けるための手段を備えた交換可能支持体（３０）と、交換可能支持体に連結することができる中間支持体（５，１４，１８）と、中間支持体及び／又は交換可能支持体に連結することができる安全部材と、を含む建設作業用安全装置。【選択図】図４
2008522062.tif 000002
【特許請求の範囲】
【請求項１】
建設作業に使用される安全装置であって、骨組みに組み込む及び／又は骨組みの金属構造に溶接することにより永久的に建造物の構造に固定された支持部材（１，１ａ）を含み、管状部材の開口部の一方に外部からアクセスすることができる装置であって、
前記支持部材（１，１ａ）のいずれかに固定するための固定装置（４）と、安全装置又は荷重支持装置を取り付けるための手段と、を有し、前記固定装置（４）が、前記支持部材（１，１ａ）の管形状に内部的に連結することができる外側管状部（４１）と、前端部に２つの側部鉤爪（４４）を有する２つの保持脚部（４３）と、を有し、前記保持脚部（４３）が共通軸（４２）に後端部で取り付けられ、前記鉤爪（４４）が対応する前記支持部材（１）にはめ込まれるように前記外側管状部（４１）の長手方向の突出部の側面を越えて突出する作動位置と、前記側部鉤爪（４４）が前記外側管状部（４１）の長手方向の突出部によって定められる空間内に位置し、前記支持部材（１）及び前記作動位置に前記脚部（４３）を固定するための手段から前記保持脚部（４３）を取り外すことができる非作動位置との間を回転することができる交換可能支持体（３０ａ，３０ｂ，３０ｃ，３０ｄ，３０ｆ）と、
前記交換可能支持体に連結され、足場又は管構造を取り付けるための圧力ブレース（５３）を有する中間支持体（５）と、
前記交換可能支持体に連結され、足安全ネット及び安全ガードの下端を取り付けるための中間支持体（１４）と、
プラットホームを支持するために前記交換可能支持体に連結することができる中間支持体（１８）と、
型枠板に安全ガードレールを取り付けるための補助支持体（４０）と、
前記中間支持体、前記交換可能支持体及び／又は前記補助支持体に連結することができる安全部材と、
を含み、
前記安全部材が、命綱の先端部（６）と、モジュールマストと、安全ネット（９）を取り付けるための傾斜ブラケットと、保護キャノピーと、安全ガードマスト（１５）と、入れ子式幅木（１６）と、拡張可能レール（１７）と、補助レール（１９）と、を含むことを特徴とする装置。
【請求項２】
前記支持部材（１，１ａ）が、管状Ｔ字形を有し、前記交換可能支持体の前記固定装置（４）の前記鉤爪（４４）を収容するように対向する２つの側部空洞を有する請求項１に記載の装置。
【請求項３】
前記支持部材（１ａ）が、作業者が前記支持部材（１ａ）を取り付けるための鋼索又はケーブル（１１）と、前記骨組みの格子又はバーへの取付のための複数の側部管（１２）と、固定のための後部脚部（１３）と、を備える請求項１又は２に記載の装置。
【請求項４】
前記支持部材（１）及び前記支持脚部（２２）を保持するための上部ルート（２１）を形成する位置決め基体（２）を備え、前記ルート（２１）と前記脚部（２２）が部材を型枠に取り付けるための穴（２３）を有する請求項１に記載の装置。
【請求項５】
前記交換可能支持体（３０ａ）が複数の部材が固定された直線管状部（３０１）を有し、一端には対応する前記固定装置（４）が固定され、上部には各種安全部材を連結するための傾斜管状部（３０２）が固定され、前端にはケーブル、テンショナ又は同様の部材を固定するためのリング（３０５）が固定されている請求項１に記載の装置。
【請求項６】
前記傾斜管状部（３０２）が、安全部材の保持ピン（３０４）を取り付けるための複数の横穴（３０３）を有する請求項５に記載の装置。
【請求項７】
前記交換可能支持体（３０ｂ）が前記交換可能支持体（３０ａ）と同様に構成され、安全ネットを取り付けるための傾斜ブラケットを連結するために上部で傾斜運動（３０６）を行う管状部を有する請求項１又は５に記載の装置。
【請求項８】
前記交換可能支持体（３０ｃ）が、一端に設けられた対応する前記固定装置（４）と、中間領域に設けられた側面リング（３０８）と、前端に設けられ、対応するピンを使用して付属部品を保持するための横穴（３０９）で構成される直線管状部（３０７）を備える請求項１に記載の装置。
【請求項９】
前記交換可能支持体（３０ｄ）が、対応する前記固定装置（４）を一端に有し、Ｌ字形の断面を有する上部アーム（３１１）及び下部アーム（３１２）を他端に有し、前記上部アーム（３１１）が高さを調節することができる脚部（３１３）を有し、前記下部アーム（３１２）が荷重を固定するための一列の横穴（３１４）を有する直線管状部（３１０）を備える請求項１に記載の装置。
【請求項１０】
前記交換可能支持体（３０ｅ）が、対応する前記固定装置（４）を一端に有し、吊り荷重を掛けるための一列の横穴（３１８）を有する下部プレート（３１７）とケーブル又は紐を固定するための上部リング（３１９）を側面に有する直線管状部（３１５）を備える請求項１に記載の装置。
【請求項１１】
前記交換可能支持体（３０ｆ）が、逆Ｔ字形の管形状を有し、中央管状部（３２０）の上端に対応する前記固定装置（４）を有し、水平管状部（３２１）が各種部材を任意に連結・固定するための開口部（３２２）を一端に有し、高さを調節することができる支持脚部（３２４）を他端に有する請求項１に記載の装置。
【請求項１２】
前記中間入れ子式支持体（５）が、管状延長部（５２）が入れ子式に取り付けられた管状部（５１）を備え、前記管状延長部（５２）が圧力ブレース（５３）を端部に有し、前記管状延長部（５２）が前記管状延長部（５２）を横断するように配置された穴（５６）を有し、ピン（５４）を使用して異なる相対位置に固定することができる請求項１に記載の装置。
【請求項１３】
前記管状部（５１）が、前記支持体（３０ａ）に接続され、ピンを使用して所望の位置に固定するための横穴を有する傾斜管状追加部（５５）を有する請求項１３に記載の装置。
【請求項１４】
前記中間支持体（１４）が、前記交換可能支持体（３０ａ又は３０ｂ）の一方に連結される傾斜管状部（１４１）と、前記管状部（１４１）に入れ子式に取り付けられる管状延長部（１４２）と、を有する請求項１に記載の装置。
【請求項１５】
前記中間支持体（１４）が、前記管状部（１４１）が、安全ガードマスト（１５）を連結するための垂直管状部（１４３）を一方の端部に有する請求項１４に記載の装置。
【請求項１６】
前記管状延長部（１４２）が、管状であって、延長可能な幅木（１６）を取り付けるための穴（１４５）を有する複数の側部追加部（１４４）を端部に有する請求項１４に記載の装置。
【請求項１７】
前記管状部（１４２）が、安全ネットを取り付けるためのリング（１４７）を下端部に有する請求項１４に記載の装置。
【請求項１８】
前記管状部（１４１）と前記管状延長部（１４２）に横穴（１４６）が設けられ、保持ピンによって前記管状部（１４１）と前記管状延長部（１４２）を固定することができる請求項１４に記載の装置。
【請求項１９】
前記中間支持体（１８）が、前記中間支持体（１８）を前記交換可能支持体（３０ｃ）に取り付け、水平に支持するための下部ルート（１８１）の輪郭を描く縦方向に逆Ｕ字形の断面を有し、前記中間支持体が、プラットホームの支持体となる水平管（１８３）が固定される側面フィン（１８２）を有する請求項１に記載の装置。
【請求項２０】
前記中間支持体（１８）が、安全ガードマスト（１５）を入れ子式レール（１７）に取り付け、固定するための管状部（１８４）を上面に有する請求項１９に記載の装置。
【請求項２１】
前記支持体（１８）が、幅木（１６）を取り付けるための穴（１８６）を有する側面横木（１８５）を前端部に有する請求項１９に記載の装置。
【請求項２２】
前記中間支持体（１８）が、固定ピンを前記支持体（３０ｃ）に取り付けるための穴（１８８）を有する複数の側部詰め木（１８７）を備える請求項１９に記載の装置。
【請求項２３】
前記中間支持体（１８）が、前記交換可能支持体（３０ｃ）に対する前記支持体の縦方向の移動を防止する保持部材（４２）のための上部穴（１８９）を有する請求項１９に記載の装置。
【請求項２４】
前記補助支持体（４０）が、管状延長部（１４２）を入れ子式に取り付けるための管状部材（４０１）と、型枠板に前記補助支持体（４０）を固定するための顎と、を有し、前記顎が、操作ねじ（４０４）に関連付けられた下部顎（４０２）と上部締め金プレート（４０３）を備える請求項１に記載の装置。
【請求項２５】
前記管状部材（４０１）が、前記管状延長部（１４２）を異なる相対位置に固定するための横穴（４０５）を有する請求項１に記載の装置。
【請求項２６】
命綱の先端部（６）が、骨組工の安全ケーブル又は命綱を留めるための複数の側面リング（６２）を有する管状部（６１）を備える請求項１に記載の装置。
【請求項２７】
前記管状部（６１）が、連結のための管状追加部（６３）と、ピンを使用して前記管状部（６１）を組付位置に保持するための横穴（６４）によって一端で延長されている請求項２６に記載の装置。
【請求項２８】
モジュールマストが、ケーブル又はテンショナを固定するための側面リング（７２）を有する管状部（７１）からなる連続する追加部（７）を備え、前記追加部（７）が、横穴（７６）を有する連結のための管状延長部（７５）を一端に有し、保持ピン（７４）を取り付けるための横穴（７３）を他端に有する請求項１に記載の装置。
【請求項２９】
前記保護キャノピーが、交換可能支持体（３０ｃ）と、管状の少なくとも１つの追加部（７）と屈曲端部部材（８）とを含むモジュールマストと、を備える支持体と、複数のケーブル又は紐（８４）と、Ｈ字形であって、キャノピー蓋板（２０ａ）の両端を支持する管状部品（２０）と、を備える請求項１に記載の装置。
【請求項３０】
前記保護キャノピーの前記支持体の前記端部部材（８）が、前端に設けられたリング（８１）を有し、後端に設けられた他の部品への目違い継ぎのための管状追加部（８２）と、保持ピンを取り付けるための穴（８３）と、を含む請求項２９に記載の装置。
【請求項３１】
前記管状部材（２０）が、前記キャノピー支持体への取付・固定のための２つの平行なフィン（２０１）と中間端部（２０２）を下面の中央に有する請求項２９に記載の装置。
【請求項３２】
安全ネット（９）を取り付けるための前記傾斜ブラケットが、少なくとも１つの追加部（７）とほぼＬ字形の先端管状部材（９１）とを有するモジュールマストと、を備え、前記管状部材（９１）が、前記ネット（９）の付属紐の摺動通路のための複数の下側リング（９２）と、小さな直径を有し、前記モジュールマストに連結することができる管状延長部（９３）と、を有する請求項１に記載の装置。
【請求項３３】
前記管状延長部（９３）が、ピンを使用して前記モジュールマストの上部追加部（７）を取り付け、固定するための横穴（９４）を有する請求項３２に記載の装置。
【請求項３４】
前記傾斜ブラケットが、中間弾性部（９６）を含む複数の取付部材（９５）を備え請求項３２に記載の装置。
【請求項３５】
前記安全ガードマスト（１５）が、前記支持体（１４）に連結することができ、入れ子式レール（１７）を取り付けるための横穴（１５３）を有する高さが異なる横木（１５２）を有する管状支柱（１５１）を備える請求項１に記載の装置。
【請求項３６】
前記安全ガードマスト（１５）の前記管状支柱（１５１）が、延長可能な幅木（１６）を取り付けるための下部領域の近傍に位置する穴（１５４）を有する請求項３５に記載の装置。
【請求項３７】
前記幅木（１６）が、ほぼＣ字形であり、相対的に移動するように縦方向に取り付けられる同様な部分を有する一対のプレート（１６１，１６２）を備える請求項１に記載の装置。
【請求項３８】
前記プレート（１６１，１６２）が、前記プレート（１６１，１６２）を前記支持体（１４）に固定するための２つの下部穴（１６３）を先端に有し、前記プレート（１６１，１６２）を前記安全ガード（１５）の前記支柱（１５１）に固定するための上部穴（１６４）を有する請求項３７に記載の装置。
【請求項３９】
前記入れ子式レール（１７）が雌部（１７２）に入れ子式に取り付けられた雄部（１７１）を備え、両部分が、前記安全ガードマスト（１５）の前記穴（１５３）に取り付けるための側面先端部（１７３）を対向する端部に有する請求項１又は３５に記載の装置。
【請求項４０】
前記雌部（１７２）が、前記雄部（１７１）を組付位置に固定するためのねじジャッキ（１７４）を有する請求項３９に記載の装置。
【請求項４１】
前記雌部（１７２）が前記安全ネット（９）を取り付けるためのフック（１７５）を有する請求項３９に記載の装置。
【請求項４２】
前記雄部（１７２）に取り付けられた可動スリーブ（１７６）と、前記安全ネット（９）に留めるための追加フック（１７７）と、を有する請求項３９に記載の装置。
【請求項４３】
前記補助レール（１９）が、２つの入れ子式に取り付けられた管状部（１９１，１９２）と、前記管状部を組付位置に保持するためのねじジャッキ（１９３）とを含み、前記管状部（１９１，１９２）が、前記入れ子式レール（１７）の端部に連結することができる各管状部材（１９５，１９６）の折りたたみアセンブリのために対向する端部に対応する継ぎ手を有する請求項１に記載の装置。
【請求項４４】
前記補助レール（１９）が、安全ネットを取り付けるためのフック（１７７）を有する管状スリーブ（１７６）を備え、前記管状スリーブ（１７６）が、縦方向に移動するように前記管状部（１９１，１９２）の外面と前記管状部材（１９５，１９６）上に取り付けられている請求項１に記載の装置。
【請求項４５】
前記補助レール（１９）の前記管状部材（１９５，１９６）が、組付ピンを取り付けるための横穴（１９７）を有する請求項４２に記載の装置。
【発明の詳細な説明】
【技術分野】
【０００１】
本発明は、建設現場で使用される安全装置であって、骨組みに組み込む及び／又は骨組みの金属構造に溶接することにより永久的に建造物の構造に固定される複数の管状支持部材を含み、管状部材の開口部の一方に外部からアクセスすることができる装置に関する。
【背景技術】
【０００２】
構造物の建設では、作業者、特に大工や骨組工の保護という点で特有の問題がある。これは、作業が建設中に行われ、適切な保護手段を設置することが特に困難な建設領域があるためである。また、窓や建物の外壁の外部クリーニングなどでは、作業者、ホイスト又は特定の装置を取り付けるためのハーネスを固定するための足場、命綱又はその他の装置を使用することが必要な場合が多いため、この問題は完成した建造物の修理や保守作業時にも生じる。構造物には、これらの部材を安全かつ高い信頼性をもって支持するための適切な装置が通常は設けられていない。
【０００３】
現在、上述した問題は標準的ではない様々な部材を使用して個別に解決しており、特定の保護又は支持部材を設置するために使用される固定具又は支持体を他の異なる部材に使用することができない。
【０００４】
例えば、建設分野では、作業者が長距離にわたって転落することを防止するために安全ネットが広く使用されており、ネット及びその支持体は紐によって建築物の柱又は構造に固定する場合が多い。骨組工のための安全ケーブルは、コンクリートに組み込まれるか、建設中の構造物の金属構造にはんだ付けされたスリーブ又は支持体に取り付けられた金属支柱に固定される。あるいは、ケーブルは、骨組みにねじ止めすることができるように下端に有孔板を有する支柱に固定されるか、骨組みの床を把持する支持締め金に固定される。
【０００５】
瓦礫やその他の材料が舗道に落下することを防止する保護キャノピーは、突出するように配置され、ねじを使用して固定及び／又は骨組み又は作業を行う建築物の外壁に溶接された複数の水平ブラケットを使用して通常は配置され、保護キャノピーの被覆の連続プレートの端部をブラケットに固定する。そのため、非常に不安定となり、突出した位置にねじ止め又は溶接されたプレートが落下したり、プレート上に蓄積した材料が落下したりする危険性が生じる。
【０００６】
現在は、安全ケーブル、命綱、支柱等の部材を固定するために管状の支持部材が使用されている。支持部材は永久的に構造物に固定され、特定の安全部材を取り付けることができる。
【０００７】
この種の装置の例がスペイン実用新案公報第２００１０１４３３号及び第２００３０２８４６号に開示されている。開示されている装置は、建造物の構造に永久的に固定され、安全ガード又はハーネスのみを固定することができる支持部材を有する。
【０００８】
これらの装置は建設作業時の具体的な問題を解決するものではあるが、安全ネット、吊り足場、落下した材料又は工具から歩行者を保護するキャノピーの取り付けなどの作業時及び作業終了後、保守及び修理作業時、外部クリーニング時に生じる様々な問題を解決することができる十分な汎用性は有していない。
【０００９】
スペイン実用新案公報第２００３０２８４６号では、安全ガード棒を造付けの支持部材から部分的に突出した支持体に内部ボルトを使用して固定する。
【００１０】
造付けの支持部材を使用する場合、安全ガード棒の取付強度は保管状態を確認することができない内部部材（支持体及びボルト）に依存するため、特に修理及び／又は建物の保全作業時に作業者の安全に対する問題が生じる。
【００１１】
スペイン実用新案公報第２００１０１４３３号では、支持体の後部の空洞に挿入される先端歯であって、支持体に挿入され、外部ねじを使用して固定されるＵ字形の楔によって当該位置に固定される先端歯を使用して安全ガードレールを造付けの支持部材に固定する。
【００１２】
この場合、棒の端部を支持部材の前部に挿入し、楔を位置決めし、ねじを締め付けるために作業者は骨組みから身を乗り出さなければならないため、安全ガードの取り付けは作業者にとって非常に危険である。また、安全ガードは骨組みの端部に向かって移動させるため、安全性は明らかに不十分である。
【発明の開示】
【発明が解決しようとする課題】
【００１３】
本発明の主題である安全装置は、建設現場で使用される安全装置であって、骨組みに組み込む及び／又は骨組みの金属構造に溶接することにより永久的に建造物の構造に固定される複数の管状支持部材を含み、管状部材の開口部の一方にアクセスすることができる装置である。
【００１４】
安全装置は、異なる構成の交換可能支持体を使用して、安全ガードレール、安全ケーブル、安全ネット、保護キャノピー、吊り足場、ハーネス又はその他の必要な安全部材等の安全装置を安定かつ高い信頼性をもって支持部材に固定することができる特定の建設作業特性を有する。本発明の特徴は、全ての交換可能支持体が同じ寸法を有し、造付けの支持部材に連結することができる点にある。
【００１５】
安全装置は一連の利点を有し、特に以下の点が挙げられる。装置の設置時、特に骨組みの周囲領域に組み込まれる支持部材の設置時に作業者を適切に保護することができ、各ケースの要件に従って一つの交換可能支持体のみを使用して１以上の安全部材を支持部材に取り付けることができ、作業者の快適かつ安全な作業を可能とするプラットホームを骨組みの周囲に取り付けることができ、水平面上でかなり離れており、原則として主レールでカバーされない領域に拡張可能な補助レールを形成することができる。
【００１６】
装置のその他の特徴としては、交換可能支持体を造付けの部材に固定するための部材が交換可能支持体上に存在するため、支持体を使用する前に固定部材の保管状態を確認することができ、劣化している場合には部材を交換及び／又は修理することができ、交換可能支持体の１つが支持部材の１つに固定されると、外部楔からなる保持又は封鎖部材が目視できる状態にあり、全ての部材が適所にある場合にのみ楔を挿入できるため、ねじの締付け又は部材の正しい位置をさらに調べる必要はない。
【００１７】
本発明によれば、装置は、組込、溶接等によって建築物の構造に永久的に固定された支持部材に一時的に固定される複数の交換可能支持体を含む。交換可能支持体は、幅木及びレールを有する安全ガード、骨組工のための命綱又は安全紐の先端部、安全ネットの上部を固定するための傾斜ブラケット、安全ネットの下部を固定するための支持体、安全キャノピー被覆の支持体、足場又は管構造の支持体のための入れ子式支持体、プラットホームの支持体等の安全装置を取り付けるための手段となる。
【００１８】
交換可能支持体には固定装置が取り付けられ、交換可能支持体を支持部材に取り付け、保持することができる。固定装置は、交換可能支持体の管形状内に部分的に収容された管状部と、支持体の先端で部分的に管状部から突出し、反対方向を向き、前端部から突出した２つの側部鉤爪を有する２つの屈曲保持脚部を含む。
【００１９】
保持脚部は後部において交換可能支持体に関連付けられた共通軸に取り付けられており、鉤爪が対応する支持部材に取り付けられるように外側管状部の長手方向の突出部の側面を越えて突出する作動位置と、側部鉤爪が外側管状部の長手方向の突出部によって定められる空間内に位置し、支持部材から側部鉤爪を取り除くことができる非作動位置との間で回転することができる。
【００２０】
交換可能支持体は、使用位置において横方向通路に設けられ、２つの保持脚部の間に配置された除去可能な楔を取り付けるための横方向通路となり、対応する交換可能支持体を支持部材の１つに固定する作動位置にそれらを保持する。
【００２１】
支持部材は、対向し、作動位置にある場合に支持部材の各鉤爪を収容する２つの側部空洞を内部に有し、２つの脚部は交換可能支持体を支持部材に固定するための二重アンカーとなる。楔を取り付ける場合には固定脚部を引き離すことが必要であり、脚部が支持部材内で正しく配置されていない場合には楔の挿入が防止され、支持部材に対する交換可能支持体の不正確な固定が防止される。
【００２２】
本発明では、保持脚部の回転軸は、交換可能支持体に形成され、外部からアクセスできるナットを使用して支持体に固定された横穴に取り付けられ、劣化した場合には軸を取り外し、交換することができる。
【００２３】
保持脚部の軸を取り付けるための横穴は支持体の縦方向にわずかに延びており、楔が窓の前部及び保持脚部の内側面の突出追加部に対して作用することを考慮すると、固定効果を減少させることなく高い製造公差を使用することができ、保持脚部を確実に分離又は開放することができると共に交換可能支持体を支持部材上に正しく取り付けることができ、全ての部品を安定かつ取り外されないようにグループ化することができる。
【００２４】
装置は、造付けの支持部材に連結するための対応する固定装置が取り付けられた複数の交換可能支持体を有する。これらの交換可能支持体により、直接又は中間支持体を使用して様々な安全部材を取り付けることができる適切な構成が提供される。
【００２５】
直接または中間支持体を使用して固定される保護部材としては、安全ネットの上部を固定するための傾斜ブラケット、レールを有する安全ガード、保護キャノピー被覆が挙げられる。
【００２６】
中間支持体により、上記保護部材及び吊り荷重又は管構造等のその他の部材を交換可能支持体に取り付けることができる。
【００２７】
また、装置は、支持部材がセメントを流し込む際に移動せず、正しい位置決めを確実とする骨組みに組み込まれる支持部材を固定するための位置決め基体と、安全ガードレールを型枠板に取り付けるための補助支持体を含む。
【００２８】
請求項に詳細に記載した上記及びその他の特徴は、図面に示した実施例を参照することにより更に容易に理解されるだろう。
【発明を実施するための最良の形態】
【００２９】
図面にはＴ字形の管形状を有する２つの支持部材（１，１ａ）を示している。支持部材は、異なる交換可能支持体（３０ａ〜３０ｆ）の連結を可能とするために中央翼の口に外部からアクセスできるように建造物に組み込まれるか、固定される。
【００３０】
支持部材（１ａ）は、作業者が安全装置を実現するための連結及び永久固定点となるように、目視できる突出した位置に配置される鋼索又はケーブル（１１）を含む。
【００３１】
また、支持部材（１ａ）は側面にチューブ（１２）を有し、支持部材（１ａ）を骨組みの梁に固定することができる。支持部材（１ａ）は、好ましくは骨組みの柱に垂直に対応して配置される。
【００３２】
支持部材（１，１ａ）には、図８〜図１６に示す交換可能支持体（３０ａ〜３０ｆ）を連結・固定することができる。各交換可能支持体は一端に固定装置（４）を有し、支持部材（１，１ａ）に固定することができる。
図３、図４、図５に示すように、固定装置（４）は、支持部材（１，１ａ）の内部に連結することができる外側管状部（４１）と、反対方向を向く２つの側部鉤爪（４４）を先端に有する２つの保持脚部（４３）と、を含む。保持脚部（４３）は後端部で共通軸（４２）に取り付けられており、鉤爪（４４）が対応する支持部材（１）に取り付けられるように外側管状部（４１）の長手方向の突出部の側面を越えて突出する作動位置と、側部鉤爪（４４）が外側管状部（４１）の長手方向の突出部によって定められる空間内に位置し、支持部材（１）から側部鉤爪（４４）を取り除くことができる非作動位置との間で回転することができる。脚部（４３）は、横方向通路（４６）に挿入され、２つの保持脚部（４）の間に配置される楔（４５）によって開放位置又は固定位置に固定される。
【００３３】
支持部材（１）を型枠に対して水平位置に固定するために、骨組みとなるセメントを流し込む前に、本発明は図６及び図７に正面図及び断面図をそれぞれ示す複数の位置決め基体（２）を含む。
【００３４】
位置決め基体（２）の上部は、支持部材（１）及び脚部（２２）を安定して水平支持するためのルート（ｒｏｕｔｉｎｇ）（２１）を形成している。ルート（２１）と脚部（２２）は穴（２３）を有し、釘、ねじ等の固定部材を取り付けることができる。
【００３５】
図８に示す交換可能支持体３０ａは、複数の部材が固定された直線管状部（３０１）を有する。すなわち、一端には対応する固定装置（４）が固定され、上部には各種保護部材を連結するための傾斜管状部（３０２）が固定され、前端部にはケーブル、テンショナ又は同様な部材を固定するためのリング（３０５）が固定されている。
【００３６】
交換可能支持体（３０ａ）の支持部材（１，１ａ）上の組付位置では、傾斜管状部（３０２）が骨組みに面しており、作業者は骨組みから管状部（３０２）に容易にアクセスすることができ、転落事故の危険性が減少する。管状部（３０２）は、ピン（３０４）によって連結された保護部材を保持するための複数の横穴（３０３）を有する。
【００３７】
交換可能支持体（３０ａ）は、後述するように、中間支持体（図１８）及びケーブル又は紐（図２３）を固定するために使用される。
【００３８】
図９に示す交換可能支持体（３０ｂ）は交換可能支持体（３０ａ）と同様に構成され、安全ネット（図２５）を取り付けるための傾斜ブラケットを連結するための傾斜運動（３０６）を行う管状部を上部に有する。
【００３９】
管状部（３０６）を傾斜させることができるため、安全ネットを取り付けるための傾斜ブラケット等の安全部材を管状部（３０６）に容易に連結することができるように管状部（３０６）を骨組みに向けて配置し、ブラケットが骨組みを超えて突出するように骨組みの外部に向かって傾斜させることができる。
【００４０】
交換可能支持体（３０ｃ）は、一端に設けられた対応する固定装置（４）と、中間領域に設けられた側面リング（３０８）と、前端部に設けられ、対応するピンを使用して付属部品を保持するための横穴（３０９）で構成される直線管状部（３０７）を含む。交換可能支持体（３０ｃ）は、保護キャノピー（図２２）及びプラットホームの支持体（図３５）を取り付けるために使用される。
【００４１】
図１２に示す交換可能支持体（３０ｄ）は、骨組みにかかる非常に重い吊り荷重を支持するものであり、対応する固定装置（４）を一端に有し、Ｌ字形の断面を有し、骨組みの床の上方及び下方に平行に配置される上部アーム（３１１）及び下部アーム（３１２）を他端に有する。交換可能支持体（３０ｄ）の上部アーム（３１１）は、骨組みに固定するために高さを調節することができる脚部（３１３）を有し、下部アーム（３１２）は、吊り足場、ハーネス、ホイスト等の吊り荷重を固定するための一列の横穴（３１４）を有する。
【００４２】
図１３に示す交換可能支持体（３０ｅ）は、吊り荷重の張出し取付を可能とする。交換可能支持体（３０ｅ）は、一端に設けられた対応する固定装置（４）と、側面に設けられ、吊り荷重を留めるための一列の横穴（３１８）を有する下部プレート（３１７）と、支持ケーブル又は紐を固定するための上部リング（３１９）と、を有する。
【００４３】
図１４、図１５、図１６、図１６ａに示す交換可能支持体（３０ｆ）は、骨組みの下面に組み込まれた部材（１）に固定される。この支持体は、骨組みが装飾的な前面を有し、骨組みの前面上に部材（１）を水平位置に配置することができない場合に主に使用される。
【００４４】
交換可能支持体（３０ｆ）は逆Ｔ字形の管形状を有し、部材（１）に連結するための固定装置（４）が中央管状部（３２０）の上端に設けられている。
水平管状部（３２１）は固定装置（４）を任意に連結するための開口部（３２２）を一端に有し、鉤爪（４４）が溝（３２６）又は目違い継ぎ部内に挿入される。これらの部材は、穴（３２５）に取り付けられるピン（３２３）によって取り付けられる。管状部（３２１）は反対側の端部に高さを調節することができる支持脚部（３２４）を有し、支持脚部（３２４）は図１６に示すように骨組みの下面によって支持され、高い安定性をもたらすと共に横方向の揺れを防止する。
【００４５】
図１７及び図１８に示すように、安全装置には、足場又は補助構造物を取り付けるための複数の中間入れ子式支持体（５）が組み込まれる。入れ子式支持体（５）は交換可能支持体（３０ａ）の傾斜管状部に連結することができる。
中間入れ子式支持体（５）は、管状延長部（５２）が入れ子式に取り付けられた管状部（５１）からなり、管状延長部（５２）の端部には圧力ブレース（５３）が設けられている。図１８に示すように、入れ子式支持体（５）により、ブレース（５３）を使用して足場又は同様な管構造物をしっかりと取り付けることができる。
【００４６】
管状部（５１）と管状延長部（５２）は横方向にそれらに沿って配置された穴を有し、ピン（５４）を使用して異なる相対位置に固定することができる。
管状部（５１）は、支持体（３０ａ）に連結され、対応する固定ピンを使用して所望の位置に固定される傾斜管状追加部（５５）を有する。
【００４７】
図１８に示すように、作業者は支持部材（１ａ）のロープ（１１）に取り付けられているため、作業者は中間入れ子式支持体（５）を安全に交換可能支持体（３０ａ）上に配置することができる。
【００４８】
図１９及び図２０は、骨組工のための安全ケーブル又は命綱を留めるための複数のリング（６２）を側面に有する管状部（６１）からなる命綱の先端部（６）の正面図及び真上からの平面図を示す。
【００４９】
管状部（６１）は、先端部（６）を交換可能支持体（３０ｃ）に直接取り付けるか、図２１に示すように連続追加部（７）からなるモジュールマストを介して交換可能支持体（３０ｃ）に取り付けることを可能とする管状追加部（６３）によって一端が延長される。先端部（６）の管状追加部（６３）は横穴（６４）を有し、ピンによって組付位置に保持することができる。
【００５０】
追加部（７）により、後述するように、連続する部材を追加することによって異なる長さのマストを異なる目的のために形成することができる。これらの目的の１つは、命綱の先端部（６）の取付点である。
【００５１】
追加部（７）は、付属部材又はテンショナを固定するためのリング（７２）を側面に有する管状部（７１）を含む。
【００５２】
管状部（７１）は、ピン（７４）を使用して連結位置に複数の連続する追加部（７）を固定したり、命綱の先端部（６）等の他の部品を固定するための横穴（７３）を一端に有する。
【００５３】
管状部（７１）は、交換可能支持体（３０ａ〜３０ｆ）又は別の同様な追加部（７）に連結するための小径の管状延長部（７４）を他端に有し、管状延長部（７５）は、ピン等を使用して管状延長部（７５）を組付位置に保持するための横穴（７６）を有する。
【００５４】
上述したように、追加部（７）によって、適切な可変長さのモジュールマストを、安全ネットを取り付けるための傾斜ブラケット及び先端部（６）を支持するために適用することができ、あるいは保護キャノピー被覆の支持体とすることができる。
【００５５】
具体的には、図２２は、骨組みに組み込まれた支持部材（１）に固定される交換可能支持体（３０ｃ）と、追加部（７）と、前端部に設けられたリング（８１）と、後端部に設けられ、他の部品への目違い継ぎのための管状追加部（８２）とを有する屈曲管状端部部材（８）と、保持ピンを取り付けるための穴（８３）と、を含む保護キャノピー被覆の支持体を示す。
このモジュール構成により、異なる長さのキャノピーの支持体を得ることができ、図２３に示すように、部材（７，８）のリングに一端を固定することができ、対応する支持部材（１）を有する骨組みの上部床に固定された交換可能支持体（３０ａ又は３０ｂ）の一方の端部リングに他端を固定することができる支持ケーブル又は紐（８４）を使用して支持体の強度を補強することができる。
【００５６】
保護キャノピーの被覆は、Ｈ字形に構成され、キャノピーの表面プレート（２０ａ）の両面を支持する複数の管状部品（２０）によって補完される。管状部材（２０）は、下面の中央に、キャノピー支持体を構成する支持体（３０ｃ）又は追加部（７）を横方向に取り囲む２つの平行なフィン（２０１）と、部材に形成された横穴に収容される中間先端部（２０２）とを有し、部材（２０）は先端部（５４）に形成された穴を通過するピンによって組付位置に固定される。
【００５７】
図２４及び図２５に示すように、安全ネット（９）を取り付けるための傾斜ブラケットは、連続する追加部（７）を連結することよって長さを調節することができるマストと、傾斜ブラケットの一部を形成するほぼＬ字形に構成された先端管状部材（９１）と、を含む。
【００５８】
管状部材（９１）は、ネット（９）の付属紐の摺動通路のための複数の下側リング（９２）を翼又は端部に有する。管状部材（９１）の下端は、小さな直径を有し、ピンを使用してマストの上部追加部（７）を連結・固定するための横穴（９４）が設けられた管状延長部（９３）を有する。
【００５９】
傾斜ブラケットは支持体（３０ｂ）の屈曲可能管状部材に取り付けられ、骨組みからの簡便な取付が容易となると共に傾斜ブラケットを外部に向かって傾斜させることができる。
【００６０】
この場合、マストの追加部（７）の側面リングにより、安全ネット（９）を支持する部材上に転落した場合に生じ得る作業者への影響を減衰させる弾性部（９６）を含む付属部材（９５）を使用して骨組みの上部床に取り付けられた交換可能支持体（３０ｂ）の端部リングにマストを固定することができる。
【００６１】
ネットの下端と安全ガードの支持体を取り付けるために、装置は中間支持体（１４）を有する。これらの支持体の１つを図２６及び図２７の正面図及び断面平面図に示す。
【００６２】
中間支持体（１４）は、図２５に示すように、交換可能支持体（３０ａ又は３０ｂ）の一方に固定される傾斜管状部（１４１）を有する。管状延長部（１４２）が管状部（１４１）に入れ子式に取り付けられている。延長部の先端は、図２９に示すように、安全ガードマスト（１５）を連結するための管状部（１４３）において上部領域に向かって屈曲している。
【００６３】
管状延長部（１４２）は、同様に管状であって、図２９及び図３０に示す延長可能な幅木（１６）を任意に取り付けるための穴（１４５）を有する複数の側部追加部（１４４）を有する。
【００６４】
支持体（１４）は、図２５に示すように、管状延長部（１４２）の先端の下面に、ケーブルを使用してネットの下端を取り付けるか、縫い合わせるためのリング（１４７）を有する。
【００６５】
支持体（１４）の管状部（１４１）と管状延長部（１４２）には横穴（１４６）が設けられ、保持ピンによって管状部（１４１）と管状延長部（１４２）を組付位置に固定することができる。
【００６６】
安全ガードマスト（１５）は、支持体（１４）に連結することができる管状支柱（１５１）と、入れ子式レール（１７）を取り付けるための横穴（１５３）を有する高さが異なる横木（１５２）と、を含む。
【００６７】
安全ガードマスト（１５）の管状支柱は、図２９に示すように、幅木（１６）を取り付けるための下部領域の近傍に位置する穴（１５４）を有する。
【００６８】
図３０に示すように、幅木（１６）はほぼＣ字形であり、相対的に移動するように縦方向に取り付けられる同様な部分を有する一対のプレート（１６１，１６２）からなる。
【００６９】
幅木（１６）を構成するプレートは、支持体（１４）内の穴（１４５）にプレート（１６）を固定できるようにするための２つの下部穴（１６３）と、ピン等を使用してプレート（１６）を安全ガードマスト（１５）の穴（１５４）に幅木（１６）を固定するための上部穴（１６４）を端部に有する。
【００７０】
図３１に示し、安全ガードマスト（１５）に連結するための入れ子式レール（１７）は、雌部（１７２）に入れ子式に取り付けられた雄部（１７１）を含む。両部分は、安全ガードマスト（１５）の穴（１５３）に取り付けるための側面先端部（１７３）を対向する端部に有する。
【００７１】
雄部（１７１）は、雌部（１７２）に放射状に取り付けられたねじジャッキ（１７４）を使用して雌部（１７２）に対して所望の位置に固定される。
【００７２】
レール（１７）は、安全ネットを固定するためのフック（１７５，１７７）を有することができる。図３１に示す例では、雌部（１７２）は溶接によって取り付けられたフック（１７５）を有し、ネットを保持するためのフック（１７７）が雄部（１７２）に可動スリーブ（１７６）によって取り付けられている。
【００７３】
本発明の装置はプラットホームの中間支持体（１８）を含み、これらの支持体の１つを図３２、図３３、図３４に正面図、断面図、真上からの平面図でそれぞれ示す。
【００７４】
中間支持体（１８）は、図３５に示すように、中間支持体（１８）を交換可能支持体（３０ｃ）に取り付け、水平に支持するための下部ルート（１８１）の輪郭を描く縦方向に逆Ｕ字形の断面を有する。
【００７５】
中間支持体（１８）は、通常は適所に取り付けられる足場に使用されるプラットホームの安定した支持体となる水平管（１８３）が最終的に固定される側面フィン（１８２）を有する。これらの管は２つの端部支持フックを有する。
【００７６】
中間支持体（１８）は、図３１に示すように、入れ子式保護レール（１７）を固定することができる対応する安全ガードマスト（１５）を取り付けるための管状部（１８４）を上側前端部に有する。
【００７７】
支持体（１８）は、前端部に側部大梁（ｓｉｄｅ  ｃｒｏｓｓｂｅａｍ）（１８５）を有し、側部大梁（１８５）は安全ガードマスト（１５）と共に幅木（１６）を任意に取り付けるための穴（１８６）を有する。
【００７８】
支持体（１８）は、支持体（３０ｃ）を下から取り囲むピンを取り付けるための穴（１８８）を有する複数の側部詰め木（１８７）を含み、支持体（１８）が持ち上がることを防止している。
【００７９】
交換可能支持体（３０ｃ）に対する支持体（１８）の長手方向の移動を防止するために、対応する固定装置（４）を支持体（３０ｃ）に取り付けるためのねじ（４２）の頭部を収容する穴（１８９）が設けられた後部領域に向かって支持体（１８）の上面を延長している。
【００８０】
また、本発明の装置は、図１８に示す複数の補助レールをさらに含み、補助レールは、ねじジャッキ（１９３）によって互いに固定され、入れ子式に取り付けられた２つの管状部（１９１，１９２）を含む。
【００８１】
管状部（１９１，１９２）は、各管状部材（１９５，１９６）上の屈曲アセンブリのための対応する継ぎ手を対向する端部に有する。
【００８２】
管状部材（１９５，１９６）は、遠いゾーンはバルコニー等の水平面において離れた領域をカバーするために主レールの端部に連結される。管状部材（１９５，１９６）は、ピンによって管状部材（１９５，１９６）を組付位置に保持するための横穴（１９７）を有する。
【００８３】
図３７及び図３８は、安全ガードレールを型枠板に取り付けるために使用される補助支持体（４０）の１つを示し、装置が型枠板に固定された場合を示している。補助支持体（４０）は、型枠板に補助支持体（４０）を固定するための圧力締め金を有する管状部材（４０１）を有する。締め金は、作動ねじ（４０４）に関連付けられた下部爪（４０２）と上部締め金プレート（４０３）とを含む。下部爪（４０２）は、図示するように固定長垂直翼又は入れ子式垂直翼を使用して管状部材（４０１）に固定することができ、大きく異なる厚みの板に垂直補助支持体（４０）を取り付けることができる。
【００８４】
中間支持体（１４）に使用される同様な管状延長部（１４２）を、安全ガードレールを取り付けるために長手方向に移動するように管状部材（４０１）に取り付けることができる。管状部材は、対応するピンを使用して管状延長部（１４２）を所望の位置に取り付けるための横穴（４０５）を含む。図２６に示す延長部と同様な管状延長部（１４２）の管状延長部によって、マスト（１５）と、レール（１７）と、幅木（１６）とを含む安全ガードを支持体（４０）に取り付けることができる。
【００８５】
本発明の性質を好適な実施形態の例と共に説明したが、請求項に記載する本発明の本質的な特徴に対する変更を含まない限り、説明した部材の材料、形態、寸法、位置をあらゆる意図及び目的で変更することができる。
【図面の簡単な説明】
【００８６】
【図１】支持部材（１）の真上からの平面図を示す。
【図２】支持部材（１ａ）の正面図を示す。
【図３】水平面で切断した支持部材の１つと支持部材に対向する交換可能支持体の１つの固定装置の真上からの平面図を示す。
【図４】交換可能支持体の１つの固定装置が支持部材に固定されている図３と同様な図を示す。
【図５】図３の縦断面図を示す。
【図６】位置決め基体（２）と位置決め基体から垂直に間隔を空けた支持部材の１つの断面図を示す。
【図７】支持部材の位置決め基体（２）の正面図を示す。
【図８】交換可能支持体（３０ａ）の正面図を示す。
【図９】交換可能支持体（３０ｂ）の正面図を示す。
【図１０】交換可能支持体（３０ｃ）の正面図を示す。
【図１１】図１１は交換可能支持体（３０ｃ）の断面図を示す。
【図１２】図１２は交換可能支持体（３０ｄ）の正面図を示す。
【図１３】図１３は交換可能支持体（３０ｅ）の正面図を示す。
【図１４】図１４は交換可能支持体（３０ｆ）の正面図を示す。
【図１５】図１５は交換可能支持体（３０ｆ）の側面図を示す。
【図１６】図１６は、下方の領域を向く骨組みに垂直に設けられた支持部材への交換可能支持体（３０ｆ）の取付の正面概略図を示す。
【図１６ａ】図１６ａは交換可能支持体（３０ｆ）の真上からの平面図を示す。
【図１７】図１７は、足場又は管構造を固定するための入れ子式中間支持体（５）の断面図を示す。
【図１８】図１８は、足場を支持する入れ子式中間支持体（５）の固定の詳細を示す。
【図１９】図１９は、ルートの正面図及び命綱又は安全ケーブルを取り付けるための先端部（６）の平面図を示す。
【図２０】ルートの正面図及び命綱又は安全ケーブルを取り付けるための先端部（６）の平面図を示す。
【図２１】可変長マストの構成に適用できる追加部（７）の正面図を示す。
【図２２】保護キャノピー被覆の支持体の製造例の分解正面図を示す。
【図２２ａ】図２２の支持体上に配置する保護キャノピーの被覆を支持するための部品の真上からの平面図を示す。
【図２２ｂ】図２２ａに示すキャノピーの被覆を支持するための部材の一部の正面図を示す。
【図２３】ケーブル又は紐で固定された保護キャノピー被覆の支持体の取付の詳細を示す。
【図２４】交換可能支持体（３０ｂ）と位置合わせした安全ネットを支持するための傾斜ブラケットの分解正面図を示す。
【図２５】交換可能支持体（３０ｂ）の１つに取り付けられ、中央弾性部を有する紐によって上方から別の交換可能支持体（３０ｂ）に固定された傾斜ブラケットの取付の詳細を示す。
【図２６】安全マスト、幅木、安全ネットの固定に使用される中間支持体（１４）の正面図及び断面図をそれぞれ示す。
【図２７】安全マスト、幅木、安全ネットの固定に使用される中間支持体（１４）の正面図及び断面図をそれぞれ示す。
【図２８】安全ガードマスト（１５）の断面図を示す。
【図２９】中間支持体（１４）への安全ガードマスト（１５）の取付及びマストへの入れ子式幅木（１６）の取付の詳細を示す。
【図３０】入れ子式幅木（１６）の形状図を示す。
【図３１】２つの安全ガードマスト（１５）に取り付けられ、安全ネットのためのフックを有する拡張可能レールの平面図（１７）を示す。
【図３２】プラットホームの支持体の中間支持体（１８）の通路の正面図である。
【図３３】プラットホームの支持体の中間支持体（１８）の通路の断面図である。
【図３４】プラットホームの支持体の中間支持体（１８）の通路の平面図である。
【図３５】交換可能支持体３０ｃに取り付けられた中間支持体（１８）の正面図を示す。
【図３６】異なる水平面上に配置されたレールを接合するために使用される補助レール（１９）の正面図である。
【図３７】型枠板に固定された安全ガードレールを取り付けるための補助支持体の正面図を示す。
【図３８】型枠板に固定された安全ガードレールを取り付けるための補助支持体の断面図を示す。
【図１】
2008522062.tif 000003
【図２】
2008522062.tif 000004
【図３】
2008522062.tif 000005
【図４】
2008522062.tif 000006
【図５】
2008522062.tif 000007
【図６】
2008522062.tif 000008
【図７】
2008522062.tif 000009
【図８】
2008522062.tif 000010
【図９】
2008522062.tif 000011
【図１０】
2008522062.tif 000012
【図１１】
2008522062.tif 000013
【図１２】
2008522062.tif 000014
【図１３】
2008522062.tif 000015
【図１４】
2008522062.tif 000016
【図１５】
2008522062.tif 000017
【図１６】
2008522062.tif 000018
【図１６ａ】
2008522062.tif 000019
【図１７】
2008522062.tif 000020
【図１８】
2008522062.tif 000021
【図１９】
2008522062.tif 000022
【図２０】
2008522062.tif 000023
【図２１】
2008522062.tif 000024
【図２２】
2008522062.tif 000025
【図２２ａ】
2008522062.tif 000026
【図２２ｂ】
2008522062.tif 000027
【図２３】
2008522062.tif 000028
【図２４】
2008522062.tif 000029
【図２５】
2008522062.tif 000030
【図２６】
2008522062.tif 000031
【図２７】
2008522062.tif 000032
【図２８】
2008522062.tif 000033
【図２９】
2008522062.tif 000034
【図３０】
2008522062.tif 000035
【図３１】
2008522062.tif 000036
【図３２】
2008522062.tif 000037
【図３３】
2008522062.tif 000038
【図３４】
2008522062.tif 000039
【図３５】
2008522062.tif 000040
【図３６】
2008522062.tif 000041
【図３７】
2008522062.tif 000042
【図３８】
2008522062.tif 000043
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
建設作業に使用される安全装置であって、骨組みに組み込む及び／又は骨組みの金属構造に溶接することにより永久的に建造物の構造に固定される支持部材（１，１ａ）を含み、管状部品の開口部の一方に外部からアクセスすることができる装置であって、
前記支持部材（１，１ａ）のいずれかに固定するための固定装置（４）と、安全装置又は荷重支持装置を取り付けるための手段と、を有し、前記固定装置（４）が、前記支持部材（１，１ａ）の管形状の内部に連結することができる外側管状部（４１）と、前端部に２つの側部鉤爪（４４）を有する２つの保持脚部（４３）と、を有し、前記保持脚部（４３）が共通軸（４２）に後端部で取り付けられ、前記鉤爪（４４）が対応する前記支持部材（１）に取り付けられるように前記外側管状部（４１）の長手方向の突出部の側面を越えて突出する作動位置と、前記側部鉤爪（４４）が前記外側管状部（４１）の長手方向の突出部によって定められる空間内に位置し、前記支持部材（１）及び前記作動位置に前記脚部（４３）を固定するための手段から前記保持脚部（４３）を取り外すことができる非作動位置との間を回転することができる交換可能支持体（３０）と、
前記交換可能支持体に連結され、足場又は管状構造物を取り付けるための圧力ブレース（５３）を有する中間支持体（５）と、
前記交換可能支持体に連結され、安全ネット及び安全ガードの下端を取り付けるための中間支持体（１４）と、
前記交換可能支持体に連結され、プラットホームを支持するための中間支持体（１８）と、
前記中間支持体及び／又は前記交換可能支持体に連結することができる保護部材と、を含み、前記保護部材が、命綱の先端部（６）と、モジュールマストと、安全ネット（９）を取り付けるための傾斜ブラケットと、保護キャノピーと、安全ガードマスト（１５）と、入れ子式幅木（１６）と、拡張可能レール（１７）と、補助レール（１９）と、を含むことを特徴とする装置。
【請求項２】
前記支持部材（１，１ａ）が、管状Ｔ字形状を有し、前記交換可能支持体の前記固定装置（４）の前記鉤爪（４４）を収容するように対向する２つの側部空洞を有する請求項１に記載の装置。
【請求項３】
前記支持部材（１ａ）が、作業者に取り付けるための鋼索又はケーブル（１１）と、前記骨組みの格子又はバーに取り付けるための複数の側部管（１２）と、固定のための後部脚部（１３）と、を備える請求項１又は２に記載の装置。
【請求項４】
前記支持部材（１）及び前記支持脚部（２２）を保持するための上部ルート（２１）を形成する位置決め基体（２）を備え、前記ルート（２１）と前記脚部（２２）が型枠に固定するための部材を取り付けるための穴（２３）を有する請求項１に記載の装置。
【請求項５】
前記交換可能支持体（３０ａ）が複数の部材が固定された直線管状部（３０１）を有し、一端には対応する前記固定装置（４）が固定され、前記直線管状部（３０１）の前端にはケーブル、テンショナ又は同様な部材を固定するためのリング（３０５）が固定され、上部には保持ピン（３０４）を取り付けるための複数の横穴（３０３）を有する各種保護部材を連結するための傾斜管状部（３０２）が固定されている請求項１に記載の装置。
【請求項６】
前記交換可能支持体（３０ｂ）が前記交換可能支持体（３０ａ）と同様に構成され、前記安全ネットを取り付けるための傾斜ブラケットを連結するための傾斜運動（３０６）を行う管状部を上部に有する請求項１又は５に記載の装置。
【請求項７】
前記交換可能支持体（３０ｃ）が、一端に設けられた対応する前記固定装置（４）と、中間領域に設けられ、ケーブル又は紐を固定するための側面リング（３０８）と、他端に設けられ、対応するピンを使用して付属部品を保持するための横穴（３０９）と、を有する直線管状部（３０７）を備える請求項１に記載の装置。
【請求項８】
前記交換可能支持体（３０ｄ）が、対応する前記固定装置（４）を一端に有し、Ｌ字形の断面を有する上部アーム（３１１）及び下部アーム（３１２）を他端に有し、前記上部アーム（３１１）が高さを調節することができる脚部（３１３）を有し、前記下部アーム（３１２）が吊り荷重を固定するための一列の横穴（３１４）を有する直線管状部（３１０）を備える請求項１に記載の装置。
【請求項９】
前記交換可能支持体（３０ｅ）が、対応する前記固定装置（４）を一端に有し、吊り荷重を留めるための一列の横穴（３１８）を有する下部プレート（３１７）とケーブル又は紐を固定するための上部リング（３１９）を側面に有する直線管状部（３１５）を備える請求項１に記載の装置。
【請求項１０】
前記交換可能支持体（３０ｆ）が、逆Ｔ字形の管形状を有し、中央管状部（３２０）の上端に対応する前記固定装置（４）を有し、水平管状部（３２１）が各種部材を連結・固定するための開口部（３２２）及びピン（３２３）を一端に有し、高さを調節することができる支持脚部（３２４）を他端に有する請求項１に記載の装置。
【請求項１１】
前記中間入れ子式支持体（５）が、管状延長部（５２）が入れ子式に取り付けられた管状部（５１）を備え、前記管状延長部（５２）が圧力ブレース（５３）を端部に有し、前記管状延長部（５２）が前記管状延長部（５２）を横断するように配置された穴（５６）を有し、ピン（５４）を使用して異なる相対位置に固定することができ、前記管状部（５１）が、前記支持体（３０ａ）に連結することができ、ピンを使用して所望の位置に固定するための横穴を有する傾斜管状追加部（５５）を有する請求項１に記載の装置。
【請求項１２】
前記中間支持体（１４）が、前記交換可能支持体（３０ａ又は３０ｂ）の一方に連結される傾斜管状部（１４１）と、前記管状部（１４１）に入れ子式に取り付けられた管状延長部（１４２）とを有し、前記傾斜管状部（１４１）と前記管状延長部（１４２）が複数の横穴（１４６）を有し、保持ピンによって前記傾斜管状部（１４１）と前記管状延長部（１４２）を固定することができ、前記管状延長部（１４２）の一端に安全ガードマスト（１５）を連結するための垂直管状部（１４３）を有し、前記管状部（１４２）が、管状であって、延長可能な幅木（１６）を取り付けるための穴（１４５）を有する複数の側部追加部（１４４）を端部に有し、前記管状部（１４２）が、安全ネットを取り付けるためのリング（１４７）を下端部に有する請求項１に記載の装置。
【請求項１３】
前記中間支持体（１８）が、前記中間支持体（１８）を前記交換可能支持体（３０ｃ）の１つに取り付け、水平に支持するための下部ルート（１８１）の輪郭を描く縦方向に逆Ｕ字形の断面を有し、前記中間支持体が、足場を固定するために通常使用されるプラットホームの安定した支持体となる水平管（１８３）が取り付けられた側部フィン（１８２）を有し、前記中間支持体（１８）が、安全ガードマスト（１５）を取り付け、固定するための管状部（１８４）を上面に有し、延長可能な幅木（１６）を取り付けるための穴（１８６）を有する側部大梁（１８５）を前端部に有し、前記中間支持体（１８）が、固定ピンを前記支持体（３０ｃ）に取り付けるための穴（１８８）を有する複数の側部詰め木（１８７）を有し、前記中間支持体（１８）が、前記交換可能支持体（３０ｃ）に対する前記支持体の長手方向の移動を防止する保持部材（４２）を収容するための上部穴（１８９）を有する請求項１に記載の装置。
【請求項１４】
前記命綱の先端部（６）が、骨組工のための安全ケーブル又は命綱を留めるための複数のリング（６２）を一端に有する管状部（６１）を備え、前記管状部（６１）が連結のための管状追加部（６３）と、ピンを使用して前記管状部（６１）を組付位置に保持するための横穴（６４）によって一端で延長される請求項１に記載の装置。
【請求項１５】
前記モジュールマストが、ケーブル又はテンショナを固定するための側面リング（７２）を有する管状部（７１）を備え連続する追加部（７）で構成され、前記追加部（７）が、横穴（７６）を有する連結のための管状延長部（７５）を一端に有し、保持ピン（７４）を取り付けるための横穴（７３）を他端に有する請求項１に記載の装置。
【請求項１６】
前記保護キャノピーが、前記交換可能支持体（３０ｃ）と、少なくとも１つの追加部（７）と、管状の屈曲端部部材（８）と、を含むモジュールマストと、を備え支持体と、複数のケーブル又は紐（８４）と、Ｈ字形であって、キャノピー表面プレート（２０ａ）の両端を支持する管状部品（２０）と、を備え、前記保護キャノピーの前記支持体の前記端部部材（８）が、前端部に設けられたリング（８１）と、後端部に設けられた他の部品への目違い継ぎのための管状追加部（８２）と、保持ピンを取り付けるための穴（８３）と、を含み、前記管状部材（２０）が、前記キャノピー支持体への取付・固定のための２つの平行なフィン（２０１）と中間先端部（２０２）を下面の中央に有する請求項１に記載の装置。
【請求項１７】
安全ネット（９）を取り付けるための前記傾斜ブラケットが、少なくとも１つの追加部（７）とほぼＬ字形の先端管状部材（９１）とを含むモジュールマストを含み、前記管状部材（９１）が、前記ネット（９）の付属ひもの摺動通路のための複数の下側リング（９２）と、小さな直径を有し、前記モジュールマストに連結することができ、前記モジュールマストの端部追加部（７）を取り付け、固定するための横穴（９４）を有する管状延長部（９３）と、を有し、前記傾斜ブラケットが、中間弾性部（９６）を有する複数の取付部材（９５）を備える請求項１に記載の装置。
【請求項１８】
前記安全ガード（１５）が、前記支持体（１４）に連結することができる管状支柱（１５１）と、入れ子式レール（１７）を取り付けるための横穴（１５３）を有する高さが異なる横木（１５２）と、を含み、前記管状支柱（１５１）が、延長可能な幅木（１６）を取り付けるための下部領域の近傍に位置する穴（１５４）を有する請求項１に記載の装置。
【請求項１９】
前記幅木（１６）が、ほぼＣ字形であり、相対的に移動することができるように縦方向に取り付けられる同様な部分を有する一対のプレート（１６１，１６２）を備え、前記一対のプレート（１６１，１６２）が、前記プレート（１６１，１６２）を前記支持体（１４）に固定するための２つの下部穴（１６３）を先端に有し、前記プレート（１６１，１６２）を前記安全ガード（１５）の前記支柱（１５１）に固定するための上部穴（１６４）を有する請求項１に記載の装置。
【請求項２０】
前記入れ子式レール（１７）が雌部（１７２）に入れ子式に取り付けられた雄部（１７１）を備え、両部分が、前記安全ガードマスト（１５）の前記穴（１５３）に取り付けるための側部先端部（１７３）を対向する端部に有し、前記雌部（１７２）が、前記雄部（１７１）を組付位置に固定するためのねじジャッキ（１７４）と、前記安全ネット（９）を取り付けるためのフック（１７５）と、を有し、前記雄部（１７１）が、前記安全ネット（９）に留めるための追加フック（１７７）を有する可動スリーブ（１７６）を含む請求項１及び１８に記載の装置。
【請求項２１】
前記補助レール（１９）が、入れ子式に取り付けられた２つの管状部（１９１，１９２）を含み、前記管状部１９２が前記管状部を組付位置に保持するためのねじジャッキ（１９３）を含み、前記管状部（１９１，１９２）が、前記入れ子式レール（１７）の端部に連結することができる各管状部材（１９５，１９６）の屈曲アセンブリのための対応する継ぎ手を対向する端部に有し、前記補助レール（１９）が、安全ネットを取り付けるためのフック（１７７）を有する複数の管状スリーブ（１７６）を含み、前記管状スリーブ（１７６）が、前記補助レール（１９）に沿って長手方向に移動することができるように前記管状部（１９１，１９２）の外面と前記管状部材（１９５，１９６）上に取り付けられており、前記管状部材（１９５，１９６）が、組付ピンを取り付けるための横穴（１９７）を有する請求項１に記載の装置。
【手続補正２】
【補正対象書類名】明細書
【補正対象項目名】００８３
【補正方法】削除
【補正の内容】
【手続補正３】
【補正対象書類名】明細書
【補正対象項目名】００８４
【補正方法】削除
【補正の内容】
【手続補正４】
【補正対象書類名】明細書
【補正対象項目名】００８６
【補正方法】変更
【補正の内容】
【００８６】
【図１】支持部材（１）の真上からの平面図を示す。
【図２】支持部材（１ａ）の正面図を示す。
【図３】水平面で切断した支持部材の１つと支持部材に対向する交換可能支持体の１つの固定装置の真上からの平面図を示す。
【図４】交換可能支持体の１つの固定装置が支持部材に固定されている図３と同様な図を示す。
【図５】図３の縦断面図を示す。
【図６】位置決め基体（２）と位置決め基体から垂直に間隔を空けた支持部材の１つの断面図を示す。
【図７】支持部材の位置決め基体（２）の正面図を示す。
【図８】交換可能支持体（３０ａ）の正面図を示す。
【図９】交換可能支持体（３０ｂ）の正面図を示す。
【図１０】交換可能支持体（３０ｃ）の正面図を示す。
【図１１】図１１は交換可能支持体（３０ｃ）の断面図を示す。
【図１２】図１２は交換可能支持体（３０ｄ）の正面図を示す。
【図１３】図１３は交換可能支持体（３０ｅ）の正面図を示す。
【図１４】図１４は交換可能支持体（３０ｆ）の正面図を示す。
【図１５】図１５は交換可能支持体（３０ｆ）の側面図を示す。
【図１６】図１６は、下方の領域を向く骨組みに垂直に設けられた支持部材への交換可能支持体（３０ｆ）の取付の正面概略図を示す。
【図１６ａ】図１６ａは交換可能支持体（３０ｆ）の真上からの平面図を示す。
【図１７】図１７は、足場又は管構造を固定するための入れ子式中間支持体（５）の断面図を示す。
【図１８】図１８は、足場を支持する入れ子式中間支持体（５）の固定の詳細を示す。
【図１９】図１９は、ルートの正面図及び命綱又は安全ケーブルを取り付けるための先端部（６）の平面図を示す。
【図２０】ルートの正面図及び命綱又は安全ケーブルを取り付けるための先端部（６）の平面図を示す。
【図２１】可変長マストの構成に適用できる追加部（７）の正面図を示す。
【図２２】保護キャノピー被覆の支持体の製造例の分解正面図を示す。
【図２２ａ】図２２の支持体上に配置する保護キャノピーの被覆を支持するための部品の真上からの平面図を示す。
【図２２ｂ】図２２ａに示すキャノピーの被覆を支持するための部材の一部の正面図を示す。
【図２３】ケーブル又は紐で固定された保護キャノピー被覆の支持体の取付の詳細を示す。
【図２４】交換可能支持体（３０ｂ）と位置合わせした安全ネットを支持するための傾斜ブラケットの分解正面図を示す。
【図２５】交換可能支持体（３０ｂ）の１つに取り付けられ、中央弾性部を有する紐によって上方から別の交換可能支持体（３０ｂ）に固定された傾斜ブラケットの取付の詳細を示す。
【図２６】安全マスト、幅木、安全ネットの固定に使用される中間支持体（１４）の正面図及び断面図をそれぞれ示す。
【図２７】安全マスト、幅木、安全ネットの固定に使用される中間支持体（１４）の正面図及び断面図をそれぞれ示す。
【図２８】安全ガードマスト（１５）の断面図を示す。
【図２９】中間支持体（１４）への安全ガードマスト（１５）の取付及びマストへの入れ子式幅木（１６）の取付の詳細を示す。
【図３０】入れ子式幅木（１６）の形状図を示す。
【図３１】２つの安全ガードマスト（１５）に取り付けられ、安全ネットのためのフックを有する拡張可能レールの平面図（１７）を示す。
【図３２】プラットホームの支持体の中間支持体（１８）の通路の正面図である。
【図３３】プラットホームの支持体の中間支持体（１８）の通路の断面図である。
【図３４】プラットホームの支持体の中間支持体（１８）の通路の平面図である。
【図３５】交換可能支持体３０ｃに取り付けられた中間支持体（１８）の正面図を示す。
【図３６】異なる水平面上に配置されたレールを接合するために使用される補助レール（１９）の正面図である。
【手続補正５】
【補正対象書類名】図面
【補正対象項目名】図３７
【補正方法】削除
【補正の内容】
【手続補正６】
【補正対象書類名】図面
【補正対象項目名】図３８
【補正方法】削除
【補正の内容】
【国際調査報告】
2008522062.tif 000044
2008522062.tif 000045
2008522062.tif 000046
2008522062.tif 000047
2008522062.tif 000048
2008522062.tif 000049